(57)【要約】      （修正有）【課題】取り付け面に装着した吸盤が知らず知らずのうちに自然落のない強力な吸盤にする。【解決手段】ドム形状でなる柔軟性伸縮素材の軟質樹脂などの吸盤本体１の頂部が、個別でなる用具Ａを接続する為の突起状の吸盤接続部２で，且つ他部材の非吸着面Ｂにくっつき合う吸着開口部３とでなる吸盤において，これらの吸盤本体１の吸着開口部３に隣接並列して、外周に湾曲状の伸縮性のたわみ部４を設け、該たわみ部４の開口部端５が，吸盤接続部２の押し圧Ｐ付与による吸着作業によって，非吸着面Ｂと吸盤本体１とのくっつき合いは吸着開口部３周辺のくっつき合いと、たわみ部４の開口部端５とのくっつき合いとの２分割構成による双方での吸着によって、非吸着面Ｂとの吸着力を高めることの出来る強力な吸盤の構成とする。【選択図】図１
0003122864.tif 000002
【実用新案登録請求の範囲】
【請求項１】
ドム形状でなる柔軟性伸縮素材の軟質樹脂などの吸盤本体（１）の頂部が、個別でなる用具（Ａ）を接続する為の突起状の吸盤接続部（２）で，且つ他部材の非吸着面（Ｂ）にくっつき合う吸着開口部（３）とでなる吸盤において，これらの吸盤本体（１）の吸着開口部（３）に隣接並列して、外周に湾曲状の伸縮性のたわみ部（４）を設け、該たわみ部（４）の開口部端（５）が，吸盤接続部（２）の押し圧（Ｐ）付与による吸着作業によって，非吸着面（Ｂ）と吸盤本体（１）とのくっつき合いは吸着開口部（３）周辺のくっつき合いと、たわみ部（４）の開口部端（５）とのくっつき合いとの２分割構成による双方での吸着によって、非吸着面（Ｂ）との吸着力を高めることの出来る吸盤本体（１）にしたことを特徴とするする強力吸盤。
【請求項２】
上記する吸着開口部（３）縁の片面に、所定の巾で全周に沿って軟質樹脂或いは粘着性軟質樹脂などのクッション性でなる薄厚板状のリング体（６）を密着させて、非吸着面（Ｂ）とのくつつき合いが、粘着くっつき合いと吸着くっつき合いとの双方に依って，吸着力を高めることの出来る吸盤本体（１）にしたことを特徴とする請求項１記載の強力吸盤。
【請求項３】
上記する吸盤本体（１）の頂部に設けた突起状の吸盤接続部（２）を軸として、それに貫通して滑動する非弾性体成形樹脂での吸盤本体キャップ（７）の孔（７ａ）を通して吸盤本体（１）に覆いかぶせ、これらが吸盤接続部（２０２）に支点（８）的係合による回動自在にしたカム（９）付きレバ−体（１０）を具備し，該レバ−体（１０）に、回転力（Ｗ）の寄与による吸着作業によって、カム（９）が吸盤本体キャップ（７）の側面（７ｂ）に圧を付加し、吸盤本体（１）と吸盤本体キャップ（７）の双方が非吸盤面（Ｂ）に向かう回動押し圧（Ｐ）の付与によって、吸着開口部（３）周辺と、たわみ部（４）の開口端（５）の双方を非接着面（Ｂ）に吸着くっつき合い可能にし、吸着力を高めることのできるようにしたことを特徴とする請求項１及び２項記載の強力吸盤。
【考案の詳細な説明】
【技術分野】
【０００１】  この考案は小物を引っ掛けるフックと一体化した吸盤や、小物に一体化で成る吸盤にし、詳しくは、小物や用具を吸盤に組み付け、平らな非吸着面に装着する吸盤の改良に関する。
【背景技術】
【０００２】  この種の従来の技術として、図７，図８、で示す様に一般的にしられる吸盤は，ドム形状で、柔軟性伸縮自在の軟質樹脂塩化ビニル樹脂やウレタン樹脂などでなる吸盤本体１００のその頂部には、個別でなるフック等の用具Ａを組み合わせる為の突起状の吸盤接続部２００で構成するが、該吸盤接続部２００には，フックに限らず様々な日常用品や小物アクセサリ−等が設けられる，そして又、これらの吸盤本体１００は他の部材である非吸着面Ｂにくっつき合う吸着開口部３００を設けることで非吸着面Ｂに吸着装備される。【０００３】  そしてこれらの吸盤は，吸着開口部３００の直径の大きさも様々で，用具の用途に応じて多様化されており，これらの取り付け面となる非吸着面Ｂに装着するのに，吸盤本体１００の頂部に押し圧Ｐを付加し吸着開口部３００を非吸着面Ｂに押し付け，ドム形状でなる吸盤本体１００をつぶす様にし、内部の空気を抜いて，内外の気圧差をつくる事で、伸び広がる吸盤開口部３００が，相手の非吸着物面Ｂに吸着する事ができる。
【考案の開示】
【考案が解決しようとする課題】
【０００４】  しかしながら上記する従来技術の場合は、吸盤を強く押し付け吸盤本体をつぶしながら，徐々にドム状内の空気を非吸着面と吸着開口部の接合部隙間から抜き出し、双方が接合面で密着して内外の気圧差を保持する為，双方の接合面にわずかな隙間も許されず，特に取り付け面の異物や凸凹によって、双方が密着出来ず，吸着力が低下して吸盤が取り付け面である非吸着面から不測に脱落するなどの課題がある。【０００５】  また吸盤本体がドム形状の軟質樹脂塩化ビニル材質のため、吸盤本体を押しつぶした後に元の形状に戻ろうとする復元力が作用するため除除に吸着力にさからさって，知らず知らずに吸盤が非吸着面から脱落する等の課題がある。【０００６】  この様に取り付ける面がタイル、プラスｘチッ、ガラス，鏡等の光沢面でない限り取り付け始めは正常と思いながらも，これらの双方の密着度合を確認すら出来ず、吸盤が何時の間にか脱落している等の課題があり，これらの吸盤の脱落によって多くの事故を誘発する結果を生む等の多くの課題がある。
【課題を解決するための手段】
【０００７】  この考案はかかる課題を解決する為に，請求項１での考案は図１及び図２で述べるように，ドム形状でなる柔軟性伸縮素材の軟質樹脂などの吸盤本体１の頂部が，個別でなる用具Ａを組み付ける為の突起状の吸盤接続部２で，且つ当該吸盤本体１の裾野にあたる吸着開口部３に隣接並列して，外周にむけて湾曲状の伸縮性のたわみ部４を設けることで，該たわみ部３の開口部端５が、吸盤接続部２の押し圧Ｐの付与による吸着作業によって，非吸着面Ｂとのくっつき合いガ吸着開口部３週辺のくっつき合いと、それに並列するたわみ部４の開口部端５とのくっつき合いとの２分割での２面が，非吸着面Ｂに接合する事で、外気との密着度合いを高め、且つ吸盤本体１の柔軟性伸縮素材の持つ弾発性の復元力作用をたわみ部４を境にし、吸着開口部３面に進展することのない構成にするものである。【０００８】  次に請求項２の考案は図３及び図４で述べる様に、上記する吸着開口部３縁に沿うって軟質樹脂或いは粘着性軟質樹脂などのクッション性でなる薄厚板状のリング体６を密着させて、非吸着面Ｂとのくっつき合いを粘着くっつき合いと、吸着くっつき合いとの双方に依って、吸着力を高めることの出来る吸盤本体１での構成にする。【０００９】  次に請求項３での考案は図５及び図６で述べる様に、上記する吸盤本体１の頂部に設けた突起状の吸盤接続部２を軸として、それに貫通して滑動する吸盤本体キャップ７の孔７ａを通して吸盤本体１に覆いかぶせ、これらが吸盤接続部２０２に支点８的結合による回動自在にしたカム９付きレバ−体１０を具備し，該レバ−体１０に、回転力Ｗの寄与による吸着作業によって、カム９が吸盤本体キャップ７の側面７ｂに圧を付加するいわゆるテコを介して非伸縮性の吸盤本体キャップ７で前記する請求項１及び請求項２の吸盤本体１を押さえ付ける構成である。【００１０】  これらの付加によって、吸盤本体１と吸盤本体キャップ７の双方が非吸盤面Ｂに向かって回動押し圧Ｐの付与によって、吸着開口部３周辺と、たわみ部４の開口端５の双方を非接着面Ｂに吸着くっつき合いによって吸着力を高める構成とする。
【考案の効果】
【００１１】  本考案は、上述の通り構成作用するので、次の優れた効果を奏する．即ち第１実施例で述べる様に、吸盤と非吸着面に僅かな異物や凸凹での隙間があっても、吸盤本体の吸着開口部と湾曲状のたわみ部の２分割での双方が、取り付け面に個別に吸着するため、吸盤本体内に外気の侵入を防ぐことが出来る、吸盤が不測に非吸着面から脱落することのない強力吸盤を提供することが出来る。【００１２】  また第２実施例で述べる様に、吸盤本体の吸着開口部と湾曲状のたわみ部との２分割での吸着開口部の片面全周の取り付け面に粘着性軟質樹脂を吸着貼り付けるので、取り付け面の凸凹や異物などの影響を受けることのない強力吸盤を提供することが出来る。【００１３】  そしてまた、第３実施例で述べる様に、吸盤本体に覆いかぶせた非伸縮性樹脂でなる吸盤本体キャップの縁が、吸盤本体の吸着開口部を押し付けたままで取り付け面に吸着されるので、吸盤本体の軟質樹脂の復元力で吸着開口部がはがれたり或いは、凹凸やざらつきのある面でも取り付け面から脱落する事のない強力吸盤を提供することが出来る。
【考案を実施するための最良な形態】
【００１４】  以下に図示の実施例に基づいて本考案を更に詳細に説明する。即ち図１は本考案での第１実施例に基づく一部断面での側面図で、ドム形状で柔軟性伸縮性素材で軟質樹脂で、その薄厚で成る吸盤本体１は、丸い形状の吸着開口部３に対向し頂部には用具Ａを接続する為の突起状の吸盤接続部２が一体化して吸盤を構成するが、本実施例では前記する吸盤接続部にはフックが接続された形態を示すが、用途に応じて様々な物品や用具Ａが接続され，例えば車両のフロントガラスに装着するアクセサリ−や，浴槽タイルのタオル掛けなど，日常品，文具，アクセサリ−、など多種にわたって商品化されている。
【００１４】  そして前記する吸盤本体１の丸い形状の吸着開口部３に隣接並列して，外部に向けて湾曲に膨らませたたわみ部４を設け、これらのたわみ部３を境目に吸盤本体１の開口部が２分割構成にする。
【００１５】  図２は前記構成でなる吸盤の非吸着面Ｂに取り付け状態での一部断面での側面図で，吸盤本体１にフックの用具Ａが接続された吸盤を非吸着面Ｂに装着するのに、接続部２に押し圧Ｐの付与による吸着作業で，吸盤本体１の内部空気が吸着開口部３の縁から外部に押し出されながら，吸着開口部３の縁が同時に拡張して吸着するが，更に押し圧Ｐの付与は、吸着開口部３に隣接並列する湾曲に膨らませたたわみ部４の開口部端５が非吸着面Ｂにくっつき合いながら外周に向け拡張し、そのたわみ部４の湾曲の膨らみが収縮し開口部端５が吸着する事で，吸盤本体１が２分割での２つの開口周辺が、取り付け面とくっつき合うことで、吸着力が高められる構成とする。
【００１６】  次に図３は第２実施例に基づく一部断面での側面図で，吸盤本体１の丸形状の吸着開口部３縁片面に所定の巾で全周に沿って、軟質樹脂或いは粘着性軟質樹脂などのクッション性でなる薄厚板状リング体６を密着させて構成するが、吸着開口部３に隣接並列する湾曲に膨らませた、たわみ部４を境目にして、其の外周片面に貼り付けるか、２重成形などで密着させる構成にし、図４の一部断面での側面図で示すように、これらの２層によって、取り付け面と成る非吸着面とのくっつき合いが、たわみ部４の全周と吸着開口部３の外周での２層での双方の吸着によって、吸盤の装着を高めることで、吸盤本体１の内外気圧差吸着力と、それに加わる接着力にて、吸盤に接続する重い用具Ａにも耐える強力吸盤の構成にしたものである。
【００１７】  次にまた、図５は第３実施例に基づく一部断面での側面図で、前記するドム形状の吸盤本体１の頂部に設けた突起状の吸盤接続部２を軸として其れに貫通して上下に滑動する非弾性体成形樹脂での、吸盤本体キャップ７の中央に設けた孔７ａを通して吸盤本体１に覆いかぶせ、キャップ外周７ａが、吸着開口部３に重なる様に配置する事で、吸盤の取り付け面への吸着作業時は，キャップ外周７ａが吸着開口部３を強く押し付ける。
【００１８】  これらの吸着開口部３の押し付けは、吸盤本体キャップ７の孔７ａに貫通する吸盤接続部に支点８を設けて其れにテコ式に係合するレバ−体１０を矢印Ｗ方向に回動することで、レバ−体１０のサイドに一体化するカム９が吸盤本体キャップ７の上面を押す事で、其の上面が、吸盤本体１の頂部を押し圧し、図６での一部断面での側面図で示す様にたわみ部４の開口部端５を取り付け面に押しつけ、同時にキャップ外周７ａが吸着開口部３を押し圧し、その双方によって非吸着面Ｂにくっつき合い、吸盤の取り付け面に異物があったり凸凹面であっても強力に装着出来る構成である。
【図面の簡単な説明】
【００１９】
【図１】    本考案に係わる第一実施例での一部断面での側面図である。
【図２】    本考案に係わる第一実施例での一部断面で使用例での側面図である。
【図３】    本考案に係わる第二実施例での一部断面での側面図である。
【図４】    本考案煮係わる第二実施例での一部断面で使用例での側面図である。
【図５】    本考案に係わる第三実施例での一部断面での側面図である。
【図６】    本考案に係わる第三実施例での一部断面で使用例での側面図である。
【図７】    従来技術での一部断面での側面図である。
【図８】    従来技術での平面図である。
【符号の説明】
【００２０】  Ａ          用具
Ｂ          非吸着面
１          吸盤本体
２          吸盤接続部
３          吸着開口部
４          たわみ部
５          開口部端
６          リング体
７          吸盤本体キャップ
８          支点
９          カム
１０          レバ−体
【図１】
0003122864.tif 000003
【図２】
0003122864.tif 000004
【図３】
0003122864.tif 000005
【図４】
0003122864.tif 000006
【図５】
0003122864.tif 000007
【図６】
0003122864.tif 000008
【図７】
0003122864.tif 000009
【図８】
0003122864.tif 000010